(57)【要約】  本発明は、液晶表示装置を提供している。前記液晶表示装置は、前記液晶表示装置が装着されるためのフレームを含み、漏光を防止するように、前記フレームの色は、前記液晶層に近い側から前記液晶層から離れた側まで白色から黒色に徐々に変化している。本発明の液晶表示装置は、フレームの色を、内側から外側まで白色から黒色に徐々に変化させることにより、漏光を防止するとともに、フレームの厚さが減少される。
2019508740.tif 000002
【特許請求の範囲】
【請求項１】
液晶表示パネルを含む液晶表示装置であって、
前記液晶表示パネルは、
データ線、走査線、及び、データ線と走査線により限定される画素ユニットを含む第１の基板と、
第１の基板に対向して設置される、共通電極を含む第２の基板と、
前記第１の基板と前記第２の基板の間に位置している液晶層と、
前記液晶表示パネルが装着されるためのフレームであって、漏光を防止するように、その色が前記液晶層に近い側から前記液晶層から離れた側まで白色から黒色に徐々に変化しており、前記３Ｄ印刷技術プロセスによって取得されたものであり且つその厚さが０.４ｍｍ以下である前記フレームとを含む前記液晶表示装置。
【請求項２】
前記フレームは、複数のサブフレーム層を含み、
前記サブフレーム層のそれぞれの厚さは、いずれも同じである請求項１に記載の液晶表示装置。
【請求項３】
前記フレームは、複数のサブフレーム層を含み、
隣り合う２つの前記サブフレーム層の厚さの差は、いずれも同じである請求項１に記載の液晶表示装置。
【請求項４】
前記フレームは、複数のサブフレーム層を含み、
隣り合う２つの前記サブフレーム層の階調値は、いずれも同じである請求項１に記載の液晶表示装置。
【請求項５】
前記フレームは、複数のサブフレーム層を含み、
前記液晶層に最も近いサブフレーム層と、前記液晶層に最も遠いサブフレーム層とも、残りの他のサブフレーム層よりも厚さが大きい請求項１に記載の液晶表示装置。
【請求項６】
前記フレームの材料がプラスチックである請求項１に記載の液晶表示装置。
【請求項７】
前記第１の基板は、アレイ基板であり、前記第２の基板は、カラーフィルム基板である請求項１に記載の液晶表示装置。
【請求項８】
前記フレームの下に位置しているバックライトモジュールを更に含む請求項１に記載の液晶表示装置。
【請求項９】
液晶表示パネルを含む液晶表示装置であって、
前記液晶表示パネルは、
データ線、走査線、及び、データ線と走査線により限定される画素ユニットを含む第１の基板と、
第１の基板に対向して設置される、共通電極を含む第２の基板と、
前記第１の基板と前記第２の基板の間に位置している液晶層と、
前記液晶表示パネルが装着されるためのフレームであって、漏光を防止するように、その色が前記液晶層に近い側から前記液晶層から離れた側まで白色から黒色に徐々に変化している前記フレームとを含む前記液晶表示装置。
【請求項１０】
前記フレームは、複数のサブフレーム層を含み、
前記サブフレーム層のそれぞれの厚さは、いずれも同じである請求項９に記載の液晶表示装置。
【請求項１１】
前記フレームは、複数のサブフレーム層を含み、
隣り合う２つの前記サブフレーム層の厚さの差は、いずれも同じである請求項９に記載の液晶表示装置。
【請求項１２】
前記フレームは、複数のサブフレーム層を含み、
隣り合う２つの前記サブフレーム層の階調値は、いずれも同じである請求項９に記載の液晶表示装置。
【請求項１３】
前記フレームは、複数のサブフレーム層を含み、
前記液晶層に最も近いサブフレーム層と、前記液晶層に最も遠いサブフレーム層とも、残りの他のサブフレーム層よりも厚さが大きい請求項９に記載の液晶表示装置。
【請求項１４】
前記フレームの厚さが０.４ｍｍ以下である請求項９に記載の液晶表示装置。
【請求項１５】
前記フレームは、３Ｄ印刷技術プロセスによって取得されたものである請求項９に記載の液晶表示装置。
【請求項１６】
前記フレームは、その材料がプラスチックである請求項９に記載の液晶表示装置。
【請求項１７】
前記第１の基板は、アレイ基板であり、前記第２の基板は、カラーフィルム基板である請求項９に記載の液晶表示装置。
【請求項１８】
前記フレームの下に位置しているバックライトモジュールを更に含む請求項９に記載の液晶表示装置。
【発明の詳細な説明】
【技術分野】
【０００１】
本発明は、ディスプレィーの技術分野に関し、特に、液晶表示装置に関する。
【背景技術】
【０００２】
現在、フレームは、白色の材料が多く利用されている。フレームの壁が薄くなれば薄くになるにつれて、光線がフレームの壁を透過するように至り、漏光現像が生じることとなる。
【発明の概要】
【発明が解決しようとする課題】
【０００３】
従来の漏光現像を解決する方式は、例えば、図１に示すように、フレーム１１の最外側に黒色のテープが貼り付けられて漏光が防止されているが、このような方式によれば、モジュールのサイズが変更されることで、製造コストが増加される。また、今までの二色のフレームは、実際に、まずモールドにおいて一方の色のフレームを成型してから、この単一色のフレームを別のモールドにおいて他方の色のフレームをさらに成型する必要があり、フレームが成型可能を保障するには、各プロセスは少なくとも０.４ｍｍの厚さを必要とし、全体の厚さは少なくとも０.８ｍｍとなり、言い換えれば、縁フレームが厚くなり、狭い縁フレームのプロセス要求に満足できない。
【０００４】
したがって、従来技術における課題を解決するための液晶表示装置を提供する必要がある。
【課題を解決するための手段】
【０００５】
本発明の目的は、従来の液晶表示装置における、漏光が発生し易くて且つフレームの厚肉化のため、狭い縁フレームのプロセス要求に満足できないといった問題を解決するための液晶表示装置を提供することにある。
【０００６】
上記技術課題を解決するために、本発明は、液晶表示装置を構成しており、前記液晶表示パネルは、
データ線、走査線、及び、データ線と走査線により限定される画素ユニットを含む第１の基板と、
第１の基板に対向して設置される、共通電極を含む第２の基板と、
前記第１の基板と前記第２の基板の間に位置している液晶層と、
前記液晶表示パネルが装着されるためのフレームであって、漏光を防止するように、その色が前記液晶層に近い側から前記液晶層から離れた側まで白色から黒色に徐々に変化しており、３Ｄ印刷技術プロセスによって取得されたものであり且つその厚さが０.４ｍｍ以下である前記フレームとを含む。
【０００７】
本発明の液晶表示装置において、前記フレームは、複数のサブフレーム層を含み、前記サブフレーム層のそれぞれの厚さは、いずれも同じである。
【０００８】
本発明の液晶表示装置において、前記フレームは、複数のサブフレーム層を含み、隣り合う２つの前記サブフレーム層の厚さの差は、いずれも同じである。
【０００９】
本発明の液晶表示装置において、前記フレームは、複数のサブフレーム層を含み、隣り合う２つの前記サブフレーム層の階調値は、いずれも同じである。
【００１０】
本発明の液晶表示装置において、前記フレームは、複数のサブフレーム層を含み、前記液晶層に最も近いサブフレーム層と、前記液晶層に最も遠いサブフレーム層とも、残りの他のサブフレーム層よりも厚さが大きい。
【００１１】
本発明の液晶表示装置において、前記フレームは、その材料がプラスチックである。
【００１２】
本発明の液晶表示装置において、前記第１の基板は、アレイ基板であり、前記第２の基板は、カラーフィルム基板である。
【００１３】
本発明の液晶表示装置において、前記フレームの下に位置しているバックライトモジュールを更に含む。
【００１４】
上記技術課題を解決するために、本発明は、液晶表示装置を構成しており、前記液晶表示パネルは、
データ線、走査線、及び、データ線と走査線により限定される画素ユニットを含む第１の基板と、
第１の基板に対向して設置される、共通電極を含む第２の基板と、
前記第１の基板と前記第２の基板の間に位置している液晶層と、
前記液晶表示パネルが装着されるためのフレームであって、漏光を防止するように、その色が前記液晶層に近い側から前記液晶層から離れた側まで白色から黒色に徐々に変化している前記フレームとを含む。
【００１５】
本発明の液晶表示装置において、前記フレームは、複数のサブフレーム層を含み、前記サブフレーム層のそれぞれの厚さは、いずれも同じである。
【００１６】
本発明の液晶表示装置において、前記フレームは、複数のサブフレーム層を含み、隣り合う２つの前記サブフレーム層の厚さの差は、いずれも同じである。
【００１７】
本発明の液晶表示装置において、前記フレームは、複数のサブフレーム層を含み、隣り合う２つの前記サブフレーム層の階調値は、いずれも同じである。
【００１８】
本発明の液晶表示装置において、前記フレームは、複数のサブフレーム層を含み、前記液晶層に最も近いサブフレーム層と、前記液晶層に最も遠いサブフレーム層とも、残りの他のサブフレーム層よりも厚さが大きい。
【００１９】
本発明の液晶表示装置において、前記フレームの厚さは０.４ｍｍ以下である。
【００２０】
本発明の液晶表示装置において、前記フレームは、３Ｄ印刷技術プロセスによって取得されたものである。
【００２１】
本発明の液晶表示装置において、前記フレームは、その材料がプラスチックである。
【００２２】
本発明の液晶表示装置において、前記第１の基板は、アレイ基板であり、前記第２の基板は、カラーフィルム基板である。
【００２３】
本発明の液晶表示装置において、前記フレームの下に位置しているバックライトモジュールを更に含む。
【発明の効果】
【００２４】
本発明の液晶表示装置は、フレームの色を、内側から外側まで白色から黒色に徐々に変化させることにより、内部における白色で光線を通常反射することに加えて、外部における黒色で一部の透過光をフレーム内に吸収することで、漏光が防止されるとともに、フレームの厚さが減少される。
【図面の簡単な説明】
【００２５】
【図１】図１は従来技術によるフレームの構成を示す模式図である。
【図２】図２は本発明の第１種の液晶表示装置の構成を示す模式図である。
【図３】図３は本発明の第２種の液晶表示装置の構成を示す模式図である。
【発明を実施するための形態】
【００２６】
以下の各実施例に係る説明は、添付の図面を参照しながら本発明に係る実施可能な特定の実施例を例示するためのものである。本発明で言及している方向用語、例えば、「上」、「下」、「前」、「後」、「左」、「右」、「内」、「外」、「側面」等は、添付の図面を参照した方向である。従って、使用される方向用語は、本発明を説明して理解するためのものであり、本発明を限定するものではない。図面には構造が類似している手段が同一の符号で示される。
【００２７】
図２を参照し、図２は、本発明の第１種の液晶表示装置の構成を示す模式図である。
【００２８】
本発明にかかる液晶表示装置２０は、液晶表示パネル及びフレーム４０を含み、該液晶表示パネルは、第１の基板２１、第２の基板２２及び液晶層２３を含む。
【００２９】
当該第１の基板２１は、データ線、走査線、及び、前記データ線と走査線により限定される画素ユニットを含む。第２の基板２２は、前記第１の基板２１と対向して設置され、前記第２の基板２２は、共通電極を含み、更にブラックマトリクスを含んでよい。液晶層２３は、前記第１の基板２１と第２の基板２２の間に位置している。前記第１の基板２１はアレイ基板であり、前記第２の基板２２はカラーフィルム基板であってもよい。勿論、該第１の基板２１はＣＯＡ基板であっても良い。
【００３０】
フレーム４０は、前記液晶表示パネルが装着されるために用いられる。なお、前記フレーム４０の色は、前記液晶層に近い側から前記液晶層から離れた側まで白色から黒色に徐々に変化している。即ち、内側から外側までの色が、白色から黒色に徐々に変化している。当該フレーム４０は全層構造となってもよい。
【００３１】
白色が液晶表示パネルの光線を反射可能で、且つ白色部分を透過した光線が段々に深色のフレームに吸収されることにより、漏光が良く防止される。フレームの外側において黒色テープを設置する工程が省略され、製造コストが節約される。
【００３２】
本発明の液晶表示装置は、フレームの色を、内側から外側まで白色から黒色に徐々に変化させることにより、内部における白色で光線を通常反射することに加えて、外部における黒色で一部の透過光をフレーム内に吸収することで、漏光が防止されるとともに、フレームの厚さが減少される。
【００３３】
図３を参照し、図３は、本発明の第２種の液晶表示装置の構成を示す模式図である。
【００３４】
本発明の液晶表示装置２０は、液晶表示パネル及びフレーム４０を含み、該液晶表示パネルは、第１の基板２１、第２の基板２２及び液晶層２３を含む。
【００３５】
当該第１の基板２１は、データ線、走査線、及び、前記データ線と走査線により限定される画素ユニットを含む。第２の基板２２は、前記第１の基板２１と対向して設置され、前記第２の基板２２は、共通電極を含む。液晶層２３は、前記第１の基板２１と第２の基板２２の間に位置している。前記第１の基板２１はアレイ基板であり、前記第２の基板２２はカラーフィルム基板であってもよい。勿論、該第１の基板２１はＣＯＡ基板であっても良い。
【００３６】
フレーム４１は、前記液晶表示パネルが装着されるために用いられる。なお、前記フレーム４１の色が前記液晶層に近い側から前記液晶層から離れた側まで白色から黒色に徐々に変化し、即ち、内側から外側までの色が、白色から黒色に徐々に変化している。
【００３７】
好ましくは、当該液晶表示装置２０は、バックライトモジュール３０を更に含んでもよく、当該バックライトモジュール３０は、フレーム４１の下に位置しており、前記フレーム４１の材料はプラスチックであってもよい。
【００３８】
好ましくは、当該フレーム４１は多層構造であっても良い。例えば、３Ｄ印刷技術により、層ごとに異なる色のフレーム層が得られ、図３に示すように、前記フレーム４１は、複数のサブフレーム層Ａ〜Ｄを含み、前記サブフレーム層のそれぞれの厚さはいずれも同じである。即ち、各サブフレーム層の厚さはいずれも同じである。それぞれのサブフレーム層の厚さは同一の数値に設定されるため、プロセスの効率を向上して、プロセスを便利にする。
【００３９】
好ましくは、隣り合う２つの前記サブフレーム層の厚さの差はいずれも同じである。例えば、サブフレーム層ＡとＢの厚さの差は、サブフレーム層ＢとＣの厚さの差に、及びサブフレーム層ＣとＤの厚さの差に等しい。例えば、３Ｄ印刷技術プロセスにより、一定の増加値に従ってフレームの厚さを増加するため、プロセスの効率が向上される。
【００４０】
好ましくは、隣り合う２つの前記サブフレーム層の階調値の差は、いずれも同じである。例えば、サブフレーム層ＡとＢの階調値の差は、サブフレーム層ＢとＣの階調値の差、及びサブフレーム層ＣとＤの階調値の差に等しい。即ち、内側におけるサブフレーム層から外側におけるサブフレーム層までの色は、一定の階調値に従って増加している。よって、光の吸収効果がより向上されて、漏光がより良く防止される。
【００４１】
好ましくは、前記液晶層２３に最も近いフレーム層と前記液晶層２３に最も遠いフレーム層とも、残りの他のフレーム層よりも厚さが大きい。例えば、サブフレーム層Ａ及びサブフレーム層Ｄは、サブフレーム層Ｂ及びＣよりも厚さが大きい。
【００４２】
つまり、最内側及び最外側におけるサブフレーム層は中間層よりも厚さが大きい。よって、光を一層吸収するとともに、光の反射に寄与する。好ましくは、最内側及び最外側におけるサブフレーム層の間のサブフレーム層は、いずれも厚さが同じである。
【００４３】
好ましくは、前記フレーム４１の厚さは、０.４ｍｍ以下である。よって、狭い縁フレームの液晶表示装置の製造プロセスにより寄与している。
【００４４】
好ましくは、前記フレーム４１は、３Ｄ印刷技術プロセスによって得られたものである。
【００４５】
本発明の液晶表示装置は、フレームの色を、内側から外側まで白色から黒色に徐々に変化することにより、フレームを多層構造に作成することができる。よって、漏光がより良く防止され、プロセス効率が向上される。
【００４６】
上記のように、本発明は、好適な実施例により前記の内容を開示しているが、前記の好適な実施例は本発明を制限するためのものではない。当業者は、本発明の技術思想及び範囲を離脱せず、各種の変更や修飾を行うことができるため、本発明の保護範囲は、請求の範囲によって限定されたものに基づく。
【図１】
2019508740.tif 000003
【図２】
2019508740.tif 000004
【図３】
2019508740.tif 000005
【国際調査報告】
2019508740.tif 000006
2019508740.tif 000007
2019508740.tif 000008
2019508740.tif 000009
2019508740.tif 000010